(57)【要約】【課題】  無段変速機のステップ変速時に、トルクアップ・トルクダウン制御と、ロックアップクラッチの係合・解放制御とを適合させることのできる装置を提供する。【解決手段】  変速比をステップ的に変化させるステップ変速の際に、動力源の出力トルクを変化させる無段変速機を搭載した車両の制御装置において、ステップ変速の変速内容およびその変速の開始・終了を検出するステップ変速検出手段（ステップＳ１〜Ｓ４，Ｓ１３，Ｓ１４）と、ロックアップクラッチの係合・解放状態を検出するロックアップ状態検出手段（ステップＳ５，Ｓ７）と、ステップ変速の開始が検出された場合に、ステップ変速の終了が検出されるまで、ロックアップクラッチの係合・解放状態を維持するロックアップ状態維持手段（ステップＳ６，Ｓ９，Ｓ１２）とを備えている。【選択図】  図１
2006118675.tif 000002
【特許請求の範囲】
【請求項１】
動力源の出力側に、ロックアップクラッチを備えた流体伝動装置を介して無段変速機が連結されるとともに、変速比をステップ的に変化させるステップ変速の際に、そのステップ変速に伴う前記動力源の慣性力に基づくショックを低下させる方向に前記動力源の出力トルクを変化させる無段変速機を搭載した車両の制御装置において、
前記ステップ変速の変速制御内容およびその変速制御の開始・終了を検出するステップ変速検出手段と、
前記ロックアップクラッチの係合・解放状態を検出するロックアップ状態検出手段と、
前記ステップ変速検出手段により前記ステップ変速の開始が検出された場合、前記ステップ変速検出手段により前記ステップ変速の終了が検出されるまで、前記開始が検出された時点の前記ロックアップ状態検出手段により検出された前記ロックアップクラッチの係合・解放状態を維持するロックアップ状態維持手段と
を備えていることを特徴とする無段変速機を搭載した車両の制御装置。
【請求項２】
前記ロックアップ状態検出手段により前記ロックアップクラッチが係合状態であることが検出され、かつ前記ステップ変速検出手段により前記ステップ変速の変速制御内容がダウンシフトであることが検出された場合に、前記動力源がアイドル状態で、かつ車速が所定値以下である場合には、前記ロックアップクラッチの係合状態の維持を禁止する手段を更に備えていることを特徴とする請求項１に記載の無段変速機を搭載した車両の制御装置。
【請求項３】
前記ロックアップ状態維持手段は、前記ステップ変速検出手段により前記ステップ変速の開始が検出され、かつ前記ロックアップ状態検出手段により前記ロックアップクラッチが係合・解放の過渡状態であることが検出された場合、前記ステップ変速検出手段により前記ステップ変速の終了が検出されるまで、前記過渡状態が検出された時点の前記ロックアップクラッチの係合・解放状態を維持する手段を含むことを特徴とする請求項１または２に記載の無段変速機を搭載した車両の制御装置。
【発明の詳細な説明】
【技術分野】
【０００１】
この発明は、ロックアップクラッチを備えた流体伝動装置を介して無段変速機を動力源に連結してある車両の制御装置に関するものである。
【背景技術】
【０００２】
最近では、ガソリンエンジンなどの車両用内燃機関の回転数を、その出力側に連結した無段変速機によって、燃費が最適（最小）となる回転数に制御することがおこなわれている。そして一般に、このような無段変速機を車両に搭載する場合、内燃機関などの動力源とそれらの変速機との間には、ロックアップクラッチを備えたトルクコンバータなどの流体伝動装置が設けられている。
【０００３】
このようなロックアップクラッチを有する流体伝動装置を備えた無段変速機もしくは自動変速機の制御装置の一例が、特許文献１ないし４に記載されている。このうち特許文献１には、自動変速機の変速が実行される際に、その変速前後でトルクコンバータのロックアップ制御の領域がコンバータ領域からロックアップ（カップリング）領域に変更されることに伴う変速ショックを防止することを目的とした自動変速機のロックアップ制御方法が記載されている。すなわち、この特許文献１に記載されている発明では、トルクコンバータをロックアップ制御する場合、自動変速機の変速信号の発生後、ギヤ位置の変更が実際に完了するまではトルクコンバータをコンバータ領域のままに保つように、すなわち自動変速機の変速中はロックアップクラッチの係合・解放状態を解放状態のままに保つように制御する、とされている。
【０００４】
また、特許文献２ないし４には、ロックアップクラッチの係合時のショックなどを防止することを目的としたロックアップクラッチを有する流体伝動装置を備えた無段変速機もしくは自動変速機の制御装置の一例が記載されている。
【特許文献１】特公昭５９−４３６６９号公報
【特許文献２】特公平６−７６８２６号公報
【特許文献３】特開２００３−３２９１２２号公報
【特許文献４】特開平８−５４０５５号公報
【発明の開示】
【発明が解決しようとする課題】
【０００５】
上述した特許文献１ないし４に記載されている発明はいずれも、変速比の変化による駆動トルクの変化と、トルクコンバータによるトルク増幅率の変化による駆動トルクの変化とが重なることによるショックを防止するためのものである。一方、無段変速機を備えた車両では、燃費を向上させることを目的とした変速制御だけでなく、加速応答性などの動力性能を向上させるために、変速比をステップ的に変化させるいわゆるステップ変速が実行されることがある。その場合、エンジンなどの動力源あるいは他の回転部材の回転数を急速に変化させることになるので、慣性トルクが生じ、これが駆動トルクとして現れると、変速ショックが悪化する可能性がある。
【０００６】
そこで、上記のステップ変速の際に動力源の出力トルクを増大もしくは低下させて、これにより慣性トルクに起因する変速ショックを低減することがおこなわれることがある。その場合、動力源の出力側に連結されている流体伝動装置におけるロックアップクラッチの係合・解放状態が変化すると、流体伝動装置の全体としてのトルク伝達率（もしくはトルク増幅率）が変化し、慣性トルクも変化するので、結局、動力源のトルク制御をおこなっても、ステップ変速時のショックを低減できず、あるいはショックの低減効果を十分には得られない事態が生じる可能性があった。
【０００７】
これに対して、上述した特許文献１の発明や特許文献２ないし４の発明は、駆動トルクとして現れるトルクコンバータのトルク増幅率に着目した発明であり、変速時における慣性トルクを打ち消すための動力源のトルクの増大もしくは低下を所期どおりに生じさせることに着目したものではないので、ステップ変速時の制御に適用することは困難である。
【０００８】
この発明は上記の事情に鑑みてなされたものであり、無段変速機のいわゆるステップ変速時における動力源のトルク制御を所期どおりに生じさせて変速ショックを低減できる制御装置を提供することを目的とするものである。
【課題を解決するための手段】
【０００９】
上記の目的を達成するために、請求項１の発明は、動力源の出力側に、ロックアップクラッチを備えた流体伝動装置を介して無段変速機が連結されるとともに、変速比をステップ的に変化させるステップ変速の際に、そのステップ変速に伴う前記動力源の慣性力に基づくショックを低下させる方向に前記動力源の出力トルクを変化させる無段変速機を搭載した車両の制御装置において、前記ステップ変速の変速制御内容およびその変速制御の開始・終了を検出するステップ変速検出手段と、前記ロックアップクラッチの係合・解放状態を検出するロックアップ状態検出手段と、前記ステップ変速検出手段により前記ステップ変速の開始が検出された場合、前記ステップ変速検出手段により前記ステップ変速の終了が検出されるまで、前記開始が検出された時点の前記ロックアップ状態検出手段により検出された前記ロックアップクラッチの係合・解放状態を維持するロックアップ状態維持手段とを備えていることを特徴とする制御装置である。
【００１０】
また、請求項２の発明は、請求項１の発明において、前記ロックアップ状態検出手段により前記ロックアップクラッチが係合状態であることが検出され、かつ前記ステップ変速検出手段により前記ステップ変速の変速制御内容がダウンシフトであることが検出された場合に、前記動力源がアイドル状態で、かつ車速が所定値以下である場合には、前記ロックアップクラッチの係合状態の維持を禁止する手段を更に備えていることを特徴とする制御装置である。
【００１１】
そして、請求項３の発明は、請求項１または２の発明において、前記ロックアップ状態維持手段は、前記ステップ変速検出手段により前記ステップ変速の開始が検出され、かつ前記ロックアップ状態検出手段により前記ロックアップクラッチが係合・解放の過渡状態であることが検出された場合、前記ステップ変速検出手段により前記ステップ変速の終了が検出されるまで、前記過渡状態が検出された時点の前記ロックアップクラッチの係合・解放状態を維持する手段を含むことを特徴とする制御装置である。
【発明の効果】
【００１２】
請求項１の発明によれば、無段変速機のステップ変速が行われる際に、そのステップ変速に伴う動力源の慣性力に基づくショックを低下するために動力源のトルクを変化させる場合、ステップ変速が開始された時点のロックアップクラッチの係合・解放状態が検出され、その係合・解放状態がステップ変速が終了されるまで維持される。そのため、ロックアップクラッチの係合・解放制御と、ステップ変速に伴う動力源の慣性力に基づくショックを低下するための動力源のトルクを変化させる制御とが不適合状態となることを回避し、無段変速機のステップ変速に伴うショックを防止もしくは抑制することができる。
【００１３】
また、請求項２の発明によれば、無段変速機のステップ変速が行われ、そのステップ変速に伴う動力源の慣性力に基づくショックを低下するために動力源のトルクを変化させる際に、ステップ変速が開始された時点のロックアップクラッチの係合・解放状態が係合状態であることが検出された場合、動力源がアイドル状態であり、かつ車速が所定値以下である場合には、ロックアップクラッチの係合状態が維持されない。そのため、動力源がアイドル状態であり、かつ車速が所定値以下の低車速である場合に、ロックアップクラッチが係合状態にされることにより、動力源の発生トルクに対して被駆動側のトルクが上回って動力源の回転数が低下してしまうことを回避することができる。
【００１４】
そして、請求項３の発明によれば、無段変速機のステップ変速が行われ、そのステップ変速に伴う動力源の慣性力に基づくショックを低下するために動力源のトルクを変化させる際に、ステップ変速が開始された時点のロックアップクラッチの係合・解放状態が係合・解放の過渡状態であることが検出された場合、その過渡状態が検出された時点のロックアップクラッチの係合・解放状態が、ステップ変速が終了されるまで維持される。そのため、ロックアップクラッチの係合・解放制御と、ステップ変速に伴う動力源の慣性力に基づくショックを低下するための動力源のトルクを変化させる制御とが不適合状態となることを回避し、無段変速機のステップ変速に伴うショックを防止もしくは抑制することができる。
【発明を実施するための最良の形態】
【００１５】
つぎに、この発明の実施例を図面に基づいて説明する。まず、この発明を適用できる車両のパワートレーン、およびその車両の制御系統を、図３に示す。図３に示す車両Ｖｅにおいては、動力源１と車輪２との間の動力伝達経路に、流体伝動装置３、ロックアップクラッチ４、前後進切り換え機構５、無段変速機６などが設けられている。動力源１としては、例えば、内燃機関または電動機の少なくとも一方を用いることができ、好ましくは電子スロットルバルブ７を備えた内燃機関などの出力を電気的に制御できる機構を備えた内燃機関が使用される。電動機としては、電気エネルギを運動エネルギに変換する力行機能と、運動エネルギを電気エネルギに変換する回生機能とを有するモータ・ジェネレータを用いることが可能である。この実施例では、動力源１として、電子スロットルバルブ７を備えたガソリンエンジンやディーゼルエンジンあるいは天然ガスエンジンなどのエンジン１が用いられている場合について説明する。
【００１６】
また、流体伝動装置３およびロックアップクラッチ４は、エンジン１と前後進切り換え機構５との間の動力伝達経路に設けられており、流体伝動装置３とロックアップクラッチ４とは相互に並列に配置されている。流体伝動装置３は、流体の運動エネルギにより動力を伝達する装置であり、例えば従来のトルクコンバータと同様の構成であって、エンジン１によって回転させられるポンプインペラとこれに対向させて配置したタービンランナと、これらの間に配置したステータとを有し、ポンプインペラで発生させたフルードの螺旋流をタービンランナに供給することよりタービンランナを回転させ、トルクを伝達するように構成されている。
【００１７】
このような流体を介したトルクの伝達では、ポンプインペラとタービンランナとの間に不可避的な滑りが生じ、これが動力伝達効率の低下要因となる。そのため、ポンプインペラなどの入力側の部材とタービンランナーなどの出力側の部材とを直接連結するロックアップクラッチ４が設けられている。このロックアップクラッチ４は、油圧によって制御するように構成され、完全係合状態および完全解放状態、ならびにこれらの中間の状態であるスリップ係合状態に制御され、さらにそのスリップ回転数を適宜に制御できるようになっている。また、前後進切り換え機構５は、入力されたトルクを選択的に反転して出力する装置であって、例えば遊星歯車機構を主体として構成されている。
【００１８】
無段変速機６は、要は、変速比を連続的に変化させることのできる機構であって、ベルト式あるいはトロイダル型の無段変速機を使用することができる。図３にはベルト式のものが示されており、この無段変速機６は、前後進切り換え機構５と車輪２との間の動力伝達経路に設けられている。無段変速機６についてより具体的に説明すると、相互に平行に配置されたプライマリシャフト８およびセカンダリシャフト９が設けられている。このプライマリシャフト８にはプライマリプーリ１０が設けられており、セカンダリシャフト９にはセカンダリプーリ１１が設けられている。プライマリプーリ１０は、プライマリシャフト８に固定された固定シーブ１２と、プライマリシャフト８の軸線方向に移動できるように構成された可動シーブ１３とを有している。そして、固定シーブ１２と可動シーブ１３との間にＶ字形状の溝Ｍ１が形成されている。
【００１９】
また、この可動シーブ１３をプライマリシャフト８の軸線方向に動作させることにより、可動シーブ１３と固定シーブ１２とを接近・離隔させる油圧サーボ機構１４が設けられている。この油圧サーボ機構１４は、油圧室１５と、油圧室１５のオイル量または油圧に応じてプライマリシャフト８の軸線方向に動作しかつ可動シーブ１３に接続されたピストン（図示せず）とを備えている。
【００２０】
一方、セカンダリプーリ１１は、セカンダリシャフト９に固定された固定シーブ１６と、セカンダリシャフト９の軸線方向に移動できるように構成された可動シーブ１７とを有している。そして、固定シーブ１６と可動シーブ１７との間にはＶ字形状の溝Ｍ２が形成されている。そして、これらの溝Ｍ１，Ｍ２に挟持された状態でベルト１８が各プーリ１０，１１に巻き掛けられている。
【００２１】
また、この可動シーブ１７をセカンダリシャフト９の軸線方向に動作させることにより、可動シーブ１７と固定シーブ１６とを接近・離隔させる油圧サーボ機構１９が設けられている。この油圧サーボ機構１９は、油圧室２０と、油圧室２０の油圧またはオイル量に応じてセカンダリシャフト９の軸線方向に動作しかつ可動シーブ１７に接続されたピストン（図示せず）とを備えている。
【００２２】
一方、無段変速機６の油圧サーボ機構１４，１９およびロックアップクラッチ４、および前後進切り換え機構５を制御する機能を有する油圧制御装置２１が設けられている。さらに、エンジン１、ロックアップクラッチ４、前後進切り換え機構５、無段変速機６、油圧制御装置２１を制御するコントローラとしての電子制御装置２２が設けられている。この電子制御装置２２は、演算処理装置（ＣＰＵまたはＭＰＵ）および記憶装置（ＲＡＭおよびＲＯＭ）ならびに入出力インターフェースを主体とするマイクロコンピュータにより構成され、入力されたデータおよび予め記憶しているデータに基づいて所定のプログラムに従って演算をおこない、ロックアップクラッチ４の係合・解放ならびにスリップ回転数、前進や後進あるいはニュートラルなどの各種の状態、および要求される挟圧力の設定、ならびに変速比の設定などの制御を実行するように構成されている。
【００２３】
図３に示す無段変速機６の変速比を車両Ｖｅの走行状態、すなわちアクセル開度や車速などに基づいて制御する自動変速制御と、手動操作に基づいて変速を実行する手動変速制御（マニュアルシフト制御）とを実行できるように構成されている。シフト装置２３は、その自動変速制御とマニュアルシフト制御とを選択するように構成されている。その一例を説明すると、シフトレバー２４をガイドするガイド溝が図３に模式的に示すように変形したＨ字形に形成され、一方の直線部分にパーキングポジション（Ｐ）、リバースポジション、ニュートラルポジション、ドライブポジション（Ｄ）、ブレーキポジション（Ｂ）が割り付けられ、かつドライブポジションから分岐した他方の直線部分の中央部がマニュアルポジション（Ｍ）に割り付けられ、このマニュアルポジションを挟んでアップシフトポジション（＋）とダウンシフトポジション（−）とが設けられている。そして、各ポジションを検出するスイッチなどのセンサ（図示せず）が設けられており、そのセンサの出力信号が前記電子制御装置２２に入力されている。また、シフトレバーの移動を前記油圧制御装置２１に伝達するためのケーブルなどのリンゲージ（図示せず）が設けられている。
【００２４】
上記の電子制御装置２２に入力されている信号を例示すると、エンジン回転数、アクセルペダルの操作状態、ブレーキペダルの操作状態、スロットルバルブの開度、シフトポジション、プライマリシャフト８の回転数、セカンダリシャフト９の回転数、油圧制御装置２１のソレノイドバルブのフェールの有無、エンジン１の吸入空気量、登坂路か否かなどを検知するセンサの信号、シフト装置２３で選択されているシフトポジションを示す信号、前記アップシフトポジションに設けられたセンサからのアップシフト信号、前記ダウンシフトポジションに設けられているセンサからのダウンシフト信号などが入力されている。また、電子制御装置２２には各種のデータが記憶されており、電子制御装置２２に入力される信号、および記憶されているデータに基づいて、電子制御装置２２から、エンジン１を制御する信号、無段変速機６を制御する信号、前後進切り換え機構５を制御する信号、ロックアップクラッチ４を制御する信号、油圧制御装置２１を制御する信号などが出力される。
【００２５】
電子制御装置２２に記憶されているデータとしては、エンジントルク制御マップ、変速機制御マップ、ロックアップクラッチ制御マップなどが挙げられる。エンジントルク制御マップは、例えば電子スロットルバルブ７の制御量の一時的な増大量を設定したマップである。また、変速機制御マップには、変速比の制御マップ、トルク容量の制御マップなどが含まれる。変速比制御マップは、車速、アクセル開度、減速度もしくはブレーキの操作状態などに基づいて、無段変速機６の変速比もしくはエンジン１の目標回転数を設定するマップである。上記の説明のように動力源１としてエンジン１が用いられている場合は、無段変速機６の変速比の制御により、エンジン回転数を最適燃費曲線に近づけるように制御できる。なお、この回転数制御は、主として目標回転数と実回転数との偏差に基づくフィードバック制御によっておこなわれ、必要に応じてフィードフォワード制御が実行もしくは併用される。トルク容量制御マップは、変速比、伝達するべきトルクなどに基づいて、無段変速機６のトルク容量を制御する場合に用いるマップである。また、ロックアップクラッチ制御マップは、車速、アクセル開度などに基づいて、ロックアップクラッチ４のトルク容量を設定するマップである。
【００２６】
上述したように、無段変速機６はエンジン１の回転数を燃費が最適になる回転数に制御するように機能させることができる。この自動変速制御におけるいわゆる通常制御では、一例として、アクセル開度などで代表される駆動要求量と車速とに基づいて適宜のマップから要求駆動力を求め、その要求駆動力と車速とから動力源の目標出力を算出する。その目標出力を最適燃費で出力することのできる目標回転数をいわゆる最適燃費線と目標出力線との交点での回転数としてマップなどから求め、その目標回転数と実際の動力源回転数との差を制御偏差として無段変速機６の変速比がフィードバック制御される。一方、目標出力とその時点の車速などに基づいて目標トルクが算出され、その目標トルクを達成するように電子スロットルバルブ７などによってエンジン１の出力トルクが制御される。
【００２７】
このような自動変速制御における通常制御は、車速や流体伝動装置３のタービン回転数などとアクセル開度などの駆動要求量とで定まる走行状態に基づいて無段変速機６の変速比を無段階に（連続的に）制御するものであって、いわば自動無段変速制御と称することのできる変速制御である。一方、無段変速機６の変速比の制御としては、手動操作に基づく制御も可能である。その制御は、シフト装置２３のアップシフトポジションあるいはダウンシフトポジションに設けられているスイッチもしくはセンサを、シフトレバーによってＯＮ動作させて信号を出力させ、その信号に基づいて、エンジン１の目標回転数もしくは無段変速機６の変速比をステップ的に変化させ、あるいは信号を出力し続けている間、目標回転数もしくは変速比を連続的に変化させる制御である。このような変速制御が、手動変速制御いわゆるマニュアルシフト制御である。
【００２８】
したがって、上記のような手動変速制御（マニュアルシフト制御）が、無段変速機６の変速比をステップ的に変化させるいわゆるステップ変速である。なお、上記のシフトレバーによってＯＮ動作させた信号を出力し続けている間、無段変速機６の変速比を連続的に変化させる制御も、結果的には変速比をステップ的に変化させることになるため、このステップ変速に含まれる。
【００２９】
手動変速操作は、車両の機敏な動作を期待して実行するから、変速速度（変速比変化率）が速くなるように無段変速機６が制御される。例えば、減速時にマニュアルダウンシフト操作した場合には、変速比を通常より速い速度で増大させる。また反対に加速中にマニュアルアップシフト操作した場合には、通常より速い速度で変速比を減少させる。このような変速制御は、通常のマニュアルシフト制御として実行される。
【００３０】
また、このようなマニュアルシフトの場合、変速速度が速いので、ショックを緩和もしくは防止するために、エンジン１のトルクの制御すなわちエンジントルクアップ・トルクダウン制御が併せて実行される。具体的には、減速時のマニュアルダウンシフトの場合には、エンジントルクを迅速に増大させる制御すなわちエンジントルクアップ制御が実行される。これは、図３に示す車両では、電子スロットルバルブ７の開度を増大させ、その後、徐々に復帰させる制御である。このエンジントルクアップ制御がマニュアルシフト時の変速制御と協調して実行されると、変速比の増大に伴ういわゆるエンジンブレーキ力を、エンジントルクアップ制御によって小さくし、変速比が急激に増大することによる駆動トルクの変化を抑制してショックが防止もしくは緩和される。また、マニュアルアップシフトの場合、変速比が急激に小さくなることによってエンジン１やこれに関連する回転部材の回転数が減少して慣性トルク（イナーシャトルク）が発生し、これがショックの原因となるので、その慣性トルク（イナーシャトルク）を相殺するようにエンジン１のトルクを低下させる制御すなわちエンジントルクダウン制御が実行される。このようなエンジントルクアップ・トルクダウン制御も、通常のマニュアルシフト制御に含まれる。
【００３１】
さらに、前述の自動変速制御が実行可能に設定される場合において、上述のいわゆる自動無段変速制御に対して、車速やアクセル開度などの駆動要求量とで定まる変速比制御マップに基づいて、無段変速機６の変速比をステップ的に変化させるいわば模擬自動変速制御もしくはＡＴ模擬変速などと称することのできる変速制御を選択的に設定して実行することも可能である。このいわゆる模擬自動変速制御は、例えば、シフト装置２３のシフトレバー２４がドライブポジション（Ｄ）に設定されている際に、模擬自動変速制御モード切り替えスイッチ（図示せず）がＯＮにされることによって実行可能に設定される。
【００３２】
このいわゆる模擬自動変速制御により変速制御が実行される場合も、いわゆる自動無段変速制御と比較して変速速度が速くなる場合があるので、その場合は、上記のマニュアルシフト制御の場合と同様に、エンジントルクアップ・トルクダウン制御が併せて実行される。したがって、このような模擬自動変速制御も、無段変速機６の変速比をステップ的に変化させるいわゆるステップ変速に含まれる。
【００３３】
上記のマニュアルシフト制御あるいは模擬自動変速制御、すなわちステップ変速制御と、それに伴うエンジントルクアップ・トルクダウン制御とがタイミングのズレを生じることなく協調して実行されると、それぞれの制御による駆動トルクの変動要因が相互に作用してショックが防止もしくは抑制される。しかしながら、車両の走行中は、前述の流体伝動装置３に備えられたロックアップクラッチ４が、車速や駆動要求量などの変化に応じて完全係合状態と、スリップ係合状態と、完全解放状態とに適宜変更されるように制御されていて、このロックアップクラッチ４の係合・解放状態の変化を考慮せずに上記のステップ変速制御とそれに伴うエンジントルクアップ・トルクダウン制御とが実行されると、前述のようにそれらの制御が適切におこなわれなくなる可能性がある。そこでこの発明の制御装置は、以下の制御を実行するように構成されている。
【００３４】
図１はその制御の一例を説明するためのフローチャートであって、このフローチャートで示されるルーチンは、所定の短時間毎に繰り返し実行される。図１において、先ず、無段変速機６の変速制御モードが、模擬自動変速制御モード（ＡＴ模擬変速モード）に設定されているか否かが判断される（ステップＳ１）。この判断は、例えば、前述したシフト装置２３のシフトレバー２４がドライブポジション（Ｄ）に設定されている際に、模擬自動変速制御モード（ＡＴ模擬変速モード）切り替えスイッチ（図示せず）がＯＮ信号を出力したか否かによって判断することができる。
【００３５】
無段変速機６の変速制御モードが模擬自動変速制御モードに設定されていないことによって、このステップＳ１で否定的に判断された場合は、ステップＳ２へ進み、マニュアルシフト制御モードであるか否か、すなわちマニュアルシフト操作時か否かが判断される。この判断は、前述したシフト装置２３におけるアップシフトポジションもしくはダウンシフトポジションのセンサが信号を出力したか否かによって判断することができる。
【００３６】
無段変速機６の変速制御モードがマニュアルシフト制御モードでないこと、すなわち無段変速機６の変速制御モードが模擬自動変速制御モードにもマニュアルシフト制御モードにも設定されていないこと、言い換えると、無段変速機６がステップ変速される変速制御モードでないことによって、このステップＳ２で否定的に判断された場合は、以降の制御はおこなわずにこのルーチンを一旦終了する。
【００３７】
また、無段変速機６の変速制御モードが模擬自動変速制御モード（ＡＴ模擬変速モード）に設定されていることによって、上記のステップＳ１で肯定的に判断された場合、もしくは無段変速機６の変速制御モードがマニュアルシフト制御モードに設定されていることによって、ステップＳ２で肯定的に判断された場合、言い換えると、無段変速機６がステップ変速される場合には、ステップＳ３へ進み、エンジントルクアップ・トルクダウン制御が併用される高応答変速であるか否かが判断される。高応答変速とは、前述したように、ステップ変速（マニュアルシフト制御あるいは模擬自動変速制御）の際に、機敏な変速動作を実現させるため変速速度を高め、変速指令の出力に対する実際の変速比の変化の応答性を向上させた変速制御のことである。したがって、ステップ変速（マニュアルシフト制御あるいは模擬自動変速制御）による変速制御が実行される場合における変速速度の大小によって高応答変速であるか否かを判断することができる。
【００３８】
エンジントルクアップ・トルクダウン制御が併用される高応答変速でないことによって、このステップＳ３で否定的に判断された場合は、以降の制御はおこなわずにこのルーチンを一旦終了する。一方、高応答変速であることによって、ステップＳ３で肯定的に判断された場合には、ステップＳ４へ進み、ステップ変速による変速が開始されるか否かが判断される。ステップ変速による変速の開始が検出されたことによって、このステップＳ４で肯定的に判断された場合は、ステップＳ５へ進み、ロックアップクラッチ４の係合・解放状態が、ロックアップ・完全オフの状態であるか否かが判断される。ロックアップ・完全オフの状態とは、ロックアップクラッチ４の伝達トルク容量が零である完全解放状態のことである。
【００３９】
ロックアップクラッチ４がロックアップ・完全オフすなわち完全解放状態であることによって、このステップＳ５で肯定的に判断された場合は、ステップＳ６へ進み、ロックアップクラッチ４の係合・解放状態がロックアップ・オンの状態に変更されることが禁止され、言い換えると、ロックアップクラッチ４の係合・解放状態が完全解放状態に維持されて、その後、このルーチンを一旦終了する。このロックアップクラッチ４の完全解放状態の維持は、後述するように、このステップ変速による変速が完了するまで継続される。また、ここで、ロックアップ・オンの状態とは、ロックアップクラッチ４の伝達トルク容量が最大となる完全係合状態、あるいは完全係合状態と完全解放状態との中間の状態であるスリップ係合状態（半係合状態）のことである。
【００４０】
一方、ロックアップクラッチ４がロックアップ・完全オフすなわち完全解放状態でないことによって、前述のステップＳ５で肯定的に判断された場合には、ステップＳ７へ進み、ロックアップクラッチ４の係合・解放状態が、ロックアップ・完全オンの状態であるか否かが判断される。ロックアップ・完全オンの状態とは、ロックアップクラッチ４の伝達トルク容量が最大となる完全係合状態のことである。
【００４１】
ロックアップクラッチ４がロックアップ・完全オンすなわち完全係合状態であることによって、このステップＳ７で肯定的に判断された場合は、ステップＳ８へ進み、その時点のステップ変速による変速がダウンシフトであるか否かが判断される。ステップ変速による変速がダウンシフトでない、すなわちアップシフトであることによって、このステップＳ８で否定的に判断された場合は、ステップＳ９へ進み、ロックアップクラッチ４の係合・解放状態がロックアップ・オフの状態に変更されることが禁止され、言い換えると、ロックアップクラッチ４の係合・解放状態が完全係合状態に維持されて、その後、このルーチンを一旦終了する。このロックアップクラッチ４の完全係合状態の維持は、後述するように、このステップ変速による変速が完了するまで継続される。また、ここで、ロックアップ・オフの状態とは、ロックアップクラッチ４の完全解放状態、あるいはスリップ係合状態（半係合状態）のことである。
【００４２】
一方、前述のステップＳ８において、ステップ変速による変速がダウンシフトであることによって肯定的に判断された場合には、ステップＳ１０へ進み、その時点のエンジン１の制御状態がアイドル・オフの状態であるか否か、もしくはその時点の車速が予め定められた所定値αよりも大きいか否かが判断される。そして、その時点のエンジン１の制御状態がアイドル・オフの状態であること、もしくはその時点の車速が所定値αよりも大きいことによって、このステップＳ１０で肯定的に判断された場合は、前述のステップＳ９へ進み、同様に、ロックアップクラッチ４の係合・解放状態が完全係合状態に維持されて、その後、このルーチンを一旦終了する。
【００４３】
これに対して、その時点のエンジン１の制御状態がアイドル・オンの状態であり、かつその時点の車速が所定値α以下であることによって、ステップＳ１０で否定的に判断された場合には、ステップＳ１１へ進み、ロックアップクラッチ４の係合・解放状態がロックアップ・オフの状態すなわち完全解放状態あるいはスリップ係合状態（半係合状態）に変更されることの禁止が解除されて、言い換えると、ロックアップクラッチ４の係合・解放状態が完全解放状態もしくはスリップ係合状態（半係合状態）に変更されることが許可されて、その後、このルーチンを一旦終了する。
【００４４】
無段変速機６の変速比がステップ変速により制御される際に、その変速がダウンシフトであって、その時点エンジン１の制御状態がアイドル・オンの状態であり、かつその時点の車速が所定値α以下の低車速である場合に、ロックアップクラッチ４が完全係合状態にされると、エンジン１の発生トルクに対して被駆動軸のトルクが上回ってエンジン回転数が落ち込み、エンジン１がストールしてしまう場合がある。そこで、上述のステップＳ８，Ｓ１０，Ｓ１１において、ステップ変速によるダウンシフト時に、エンジン１がアイドリング状態にあり車速が所定値α以下の低車速である場合には、ロックアップクラッチ４の係合・解放状態がロックアップ・オフの状態に変更されることの禁止が解除されることにより、すなわち、ロックアップクラッチ４の係合・解放状態が完全係合状態に維持されることが解除されることにより、言い換えると、ロックアップ・オフの状態すなわち完全解放状態もしくはスリップ係合状態（半係合状態）にされることが許可されることにより、その場合のエンジン１のストールを回避することができる。
【００４５】
また、前述のステップＳ７において、ロックアップクラッチ４がロックアップ・完全オンすなわち完全係合状態でないことによって否定的に判断された場合、すなわちロックアップクラッチ４が完全係合状態でなくかつ完全解放状態でない場合、言い換えると、ロックアップクラッチ４が完全係合状態と完全解放状態との間の過渡状態であるスリップ係合状態（半係合状態）である場合は、ステップＳ１２へ進み、その時点のロックアップクラッチ４の係合・解放状態を制御する油圧の保持が開始される。すなわち、ロックアップクラッチ４が係合・解放の過渡状態すなわちスリップ係合状態である場合には、その状態を維持するように油圧の保持が開始される。そしてその後、このルーチンを一旦終了する。
【００４６】
このロックアップクラッチ４のスリップ係合状態を維持するための油圧の保持は、後述するように、このステップ変速による変速が完了するまで継続される。また、トルクアップ・トルクダウン制御のトルク要求量は、例えば図２に示すような、ステップ変速の各変速毎に予め定められたマップに基づいて制御される。したがって、例えば上記のようなロックアップクラッチ４のスリップ係合状態を維持している時のトルク要求量は、その変速におけるロックアップクラッチ４が完全係合状態の場合のマップと、ロックアップクラッチ４が完全解放状態の場合のマップとから演算（例えば比例計算）することによって求められる値に基づいて実行される。
【００４７】
上記に示した各ステップによる制御が順次実行される間に、前述のステップＳ４で、ステップ変速による変速の開始が検出されないことによって否定的に判断された場合には、ステップＳ１３へ進み、ステップ変速による変速が終了されたか否かが判断される。ステップ変速による変速の終了が未だ検出されないことによって、このステップＳ１３で否定的に判断された場合は、このルーチンを一旦終了する。すなわち、ステップ変速による変速が終了するまで、上記に示した各ステップによる制御が繰り返し実行される。
【００４８】
一方、ステップ変速による変速の終了が検出されたことによって、ステップＳ１３で肯定的に判断された場合には、ステップＳ１４へ進み、ロックアップクラッチ４の係合・解放状態が、ロックアップ・オンの状態すなわち完全係合状態あるいはスリップ係合状態（半係合状態）に変更されることの禁止、すなわち完全解放状態に維持されることと、ロックアップ・オフの状態すなわち完全解放状態あるいはスリップ係合状態（半係合状態）に変更されることの禁止、すなわち完全係合状態に維持されることとが解除されるとともに、ロックアップクラッチ４のスリップ係合状態を維持するための油圧の保持が終了される。言い換えると、ロックアップクラッチ４の係合・解放状態を維持させることが終了される。そしてその後、このルーチンを一旦終了する。
【００４９】
したがって、このルーチンでは、無段変速機６でのステップ変速による変速の開始が検出された場合、そのステップ変速による変速の終了が検出されるまで、ステップ変速による変速の開始が検出された時点のロックアップクラッチ４の係合・解放状態が維持される。
【００５０】
以上のように制御が実行されることによって、無段変速機６のステップ変速が行われる際に、そのステップ変速に伴うエンジン１の慣性トルク（イナーシャトルク）の変化に伴う変速ショックを抑制するためにエンジン１のトルクアップ・トルクダウン制御をおこなう場合、ステップ変速が開始された時点のロックアップクラッチ４の係合・解放状態が検出され、その係合・解放状態がステップ変速が終了されるまで維持される。また、その場合に、ステップ変速が開始された時点で検出されたロックアップクラッチ４の係合・解放状態が係合・解放の過渡状態であるスリップ係合状態であっても、そのステップ変速が開始された時点のスリップ係合状態が、ステップ変速が終了されるまで維持される。そのため、ロックアップクラッチ４の係合・解放制御と、ステップ変速に伴うショックを低下するためのエンジン１のトルクアップ・トルクダウン制御とが不適合状態となることを回避し、無段変速機６のステップ変速に伴う変速ショックを防止もしくは抑制することができる。
【００５１】
さらに、ステップ変速が行われる際にエンジン１のトルクアップ・トルクダウン制御をおこなう場合に、ステップ変速が開始された時点で検出されたロックアップクラッチ４の係合・解放状態が完全係合状態であった場合に、エンジン１がアイドル状態であり、かつ車速が所定値α以下である場合には、その完全係合状態が維持されない。そのため、エンジン１がアイドル状態であり、かつ車速が所定値α以下の低車速である場合に、ロックアップクラッチ４が完全係合状態にされることにより、エンジン１の発生トルクに対して被駆動側のトルクが上回ってエンジン１の回転数が低下し、その結果エンジン１がストールしてしまうことを回避することができる。
【００５２】
ここで、上述した具体例とこの発明との関係を簡単に説明すると、上述したステップＳ１ないしＳ４、およびステップＳ１３，Ｓ１４の機能的手段が、この発明のステップ変速検出手段に相当し、ステップＳ５，Ｓ７の機能的手段が、この発明のロックアップ状態検出手段に相当する。また、ステップＳ６，Ｓ９、Ｓ１２の機能的手段が、この発明のロックアップ状態維持手段に相当し、このうち、ステップＳ１２の機能的手段が、この発明の請求項３におけるロックアップ状態維持手段に相当する。そして、ステップＳ８，Ｓ１０，Ｓ１１の機能的手段が、この発明の請求項２におけるロックアップクラッチの係合状態の維持を禁止する手段に相当する。
【００５３】
なお、この発明は、上記の具体例に限定されないのであって、無段変速機はベルト式以外にトロイダル型のものであってもよい。また、動力源の出力トルクを変化させる手段は上記の電子スロットルバルブが一般的であるが、この発明ではこれに限らず、点火時期制御やハイブリッド車では電動機によるトルク制御などを単独で使用し、もしくは電子スロットルバルブの制御と併用してもよい。
【００５４】
また、上記の具体例では、ロックアップクラッチの係合・解放状態を検出している例を示しているが、ロックアップクラッチの伝達トルク容量、係合圧、あるいは係合油圧を検出してロックアップクラッチの係合・解法状態を判断してもよい。
【図面の簡単な説明】
【００５５】
【図１】この発明の制御装置による制御例を説明するためのフローチャートである。
【図２】この発明の制御装置による制御実行時に使用されるロックアップクラッチの係合・解放状態に応じてトルクアップ・トルクダウン制御のトルク要求量を設定するためのマップを説明するための模式図である。
【図３】この発明の制御装置を適用可能な車両のパワートレーンおよび制御系統を示す概念図である。
【符号の説明】
【００５６】
１…動力源（エンジン）、  ４…ロックアップクラッチ、  ６…無段変速機、  ２２…電子制御装置。
【図１】
2006118675.tif 000003
【図２】
2006118675.tif 000004
【図３】
2006118675.tif 000005